(57)【要約】【課題】無操作状態の継続に基づいて画面を自動遷移させる機能を活用して、現在利用中のユーザの利便性を高めたり、ユーザをシステム管理者が所望する操作フローへ導いたりすることのできる画面遷移制御方法等を提供する。【解決手段】第１電子機器を使用するための第１操作画面を表示する第１状態から第２電子機器を使用するための第２操作画面を表示する第２状態にユーザ操作によって遷移した場合に、無操作継続時間を計測し、該時間が閾値を超えた場合に、第２状態から第１状態に自動遷移させる構成において、一のユーザによる利用が開始されてからのそのユーザによる第１電子機器および第２電子機器の使用実績に基づいて該閾値の大きさをＴａ〜Ｔｄに変更する。【選択図】図５
2017068405.tif 000002
【特許請求の範囲】
【請求項１】
第１電子機器を使用するための第１操作画面の表示と第２電子機器を使用するための第２操作画面の表示に共用される操作パネルにおける画面遷移を制御する画面遷移制御方法であって、
前記操作パネルの状態を、ユーザからの操作に基づいて、前記第１操作画面を表示する第１状態から前記第２操作画面を表示する第２状態に遷移させる遷移ステップと、
前記操作パネルの状態が前記第１状態から前記第２状態に遷移してから次の操作を受けるまでは前記遷移した後の経過時間を、前記遷移した後に操作を受けた場合は最後の操作を受けてからの経過時間を、無操作継続時間として計測する計測ステップと、
前記無操作継続時間が閾値を超えた場合に、前記操作パネルの状態を、前記第２状態から前記第１状態に自動遷移させる自動遷移ステップと、
一のユーザによる利用が開始されてからのそのユーザによる前記第１電子機器および前記第２電子機器の使用実績に基づいて前記閾値を変更する閾値変更ステップと、
を有する
ことを特徴とする画面遷移制御方法。
【請求項２】
前記閾値変更ステップでは、前記第１電子機器が使用された場合は前記閾値を増加させる
ことを特徴とする請求項１に記載の画面遷移制御方法。
【請求項３】
前記閾値変更ステップでは、前記第２電子機器が使用された場合は前記閾値を減少させる
ことを特徴とする請求項１または２に記載の画面遷移制御方法。
【請求項４】
前記第１電子機器は、デフォルトで使用される電子機器である
ことを特徴とする請求項１乃至３のいずれか１つに記載の画面遷移制御方法。
【請求項５】
前記閾値変更ステップでは、デフォルトで使用される電子機器である前記第１電子機器を未使用のまま前記第２状態に遷移した場合は、前記第１電子機器を使用してから前記第２状態に遷移した場合に比べて、前記閾値を短く設定する
ことを特徴とする請求項１に記載の画面遷移制御方法。
【請求項６】
前記閾値変更ステップでは、デフォルトで使用される電子機器である前記第１電子機器を使用してから前記第２状態に遷移して前記第２電子機器を使用した場合は、前記第１電子機器を未使用のまま前記第２状態に遷移しかつ前記第２電子機器を未使用の場合に比べて、前記閾値を短く設定する
ことを特徴とする請求項１に記載の画面遷移制御方法。
【請求項７】
前記閾値変更ステップでは、デフォルトで使用される電子機器である前記第１電子機器を未使用のまま前記第２状態に遷移して前記第２電子機器を使用した場合は、前記第１電子機器を使用してから前記第２状態に遷移して前記第２電子機器を使用した場合に比べて、前記閾値を短く設定する
ことを特徴とする請求項１に記載の画面遷移制御方法。
【請求項８】
前記自動遷移ステップでは、前記無操作継続時間が閾値を超える前にユーザの切り替わりが識別されたら直ちに前記自動遷移を行う
ことを特徴とする請求項１乃至６のいずれか１つに記載の画面遷移制御方法。
【請求項９】
前記第１状態で無操作状態が一定以上継続した場合に第３状態に遷移する第２自動遷移ステップと、
前記第１電子機器が使用済みの場合の前記自動遷移として、前記第２状態から前記第１状態に遷移する通常遷移と、前記第２状態から前記第１状態を経由せずに前記第３状態へ遷移する直接遷移のいずれを行うかの設定を受けるステップと
をさらに有し、
前記自動遷移ステップでは、前記第１電子機器が使用済みの場合は前記自動遷移を前記設定に従って行う
ことを特徴とする請求項１乃至８のいずれか１つに記載の画面遷移制御方法。
【請求項１０】
前記閾値の初期値の設定を受けるステップをさらに有する
ことを特徴とする請求項１乃至９のいずれか１つに記載の画面遷移制御方法。
【請求項１１】
前記閾値変更ステップでの前記閾値の変更の程度の設定を受けるステップをさらに有する
ことを特徴とする請求項１乃至１０のいずれか１つに記載の画面遷移制御方法。
【請求項１２】
予め前記第１電子機器と前記第２電子機器の使用の順序が設定されている場合、
前記閾値変更ステップでは、ユーザの操作に基づく前記第２状態への遷移が前記使用の順序に合わない場合は、前記使用の順序に合う場合に比べて、前記閾値を短く設定する
ことを特徴とする請求項１に記載の画面遷移制御方法。
【請求項１３】
前記使用の順序の設定を受けるステップをさらに有する
ことを特徴とする請求項１２に記載の画面遷移制御方法。
【請求項１４】
請求項１乃至１３のいずれか１つに記載の画面遷移制御方法の各ステップをコンピュータに実行させるプログラム。
【請求項１５】
第１電子機器を使用するための第１操作画面の表示と第２電子機器を使用するための第２操作画面の表示に共用される操作パネルにおける画面遷移を制御する画面遷移制御装置であって、
前記操作パネルの状態を、ユーザからの操作に基づいて、前記第１操作画面を表示する第１状態と前記第２操作画面を表示する第２状態とに切り替える切り替え部と、
前記操作パネルの状態が前記第１状態から前記第２状態に遷移してから次の操作を受けるまでは前記遷移した後の経過時間を、前記遷移した後に操作を受けた場合は最後の操作を受けてからの経過時間を無操作継続時間として計測する計測部と、
前記計測部が計測する前記無操作継続時間が閾値を超えた場合に、前記操作パネルの状態を、前記第２状態から前記第１状態に自動遷移させる自動遷移制御部と、
一のユーザによる利用が開始されてからのそのユーザによる前記第１電子機器および前記第２電子機器の使用実績に基づいて前記閾値を変更する閾値変更部と、
を有する
ことを特徴とする画面遷移制御装置。
【請求項１６】
前記閾値変更部は、前記第１電子機器が使用された場合は前記閾値を増加させる
ことを特徴とする請求項１５に記載の画面遷移制御装置。
【請求項１７】
前記閾値変更部は、前記第２電子機器が使用された場合は前記閾値を減少させる
ことを特徴とする請求項１５または１６に記載の画面遷移制御装置。
【請求項１８】
前記第１電子機器は、デフォルトで使用される電子機器である
ことを特徴とする請求項１５乃至１７のいずれか１つに記載の画面遷移制御装置。
【請求項１９】
前記閾値変更部は、デフォルトで使用される電子機器である前記第１電子機器を未使用のまま前記第２状態に遷移した場合は、前記第１電子機器を使用してから前記第２状態に遷移した場合に比べて、前記閾値を短く設定する
ことを特徴とする請求項１５に記載の画面遷移制御装置。
【請求項２０】
前記閾値変更部は、デフォルトで使用される電子機器である前記第１電子機器を使用してから前記第２状態に遷移して前記第２電子機器を使用した場合は、前記第１電子機器を未使用のまま前記第２状態に遷移しかつ前記第２電子機器を未使用の場合に比べて、前記閾値を短く設定する
ことを特徴とする請求項１５に記載の画面遷移制御装置。
【請求項２１】
前記閾値変更部は、デフォルトで使用される電子機器である前記第１電子機器を未使用のまま前記第２状態に遷移して前記第２電子機器を使用した場合は、前記第１電子機器を使用してから前記第２状態に遷移して前記第２電子機器を使用した場合に比べて、前記閾値を短く設定する
ことを特徴とする請求項１５に記載の画面遷移制御装置。
【発明の詳細な説明】
【技術分野】
【０００１】
本発明は、操作パネルの画面遷移を制御する画面遷移制御方法、画面遷移制御装置およびプログラムに関する。
【背景技術】
【０００２】
複数の機能を持つ電子機器や、複数の電子機器を組み合わせた電子機器郡においては、機能や電気機器毎にそれを利用するための操作画面を設け、ユーザが利用する機能や電子機器に応じて操作画面をユーザに切り替えさせる事が一般的に行われる。たとえば、下記特許文献１には、メニュー画面に機能毎の操作釦を配置し、いずれかの操作釦が押下されたらその押下された操作釦に対応する機能の操作画面に表示を遷移させる装置が開示されている。
【０００３】
ところで、操作画面の中には、デフォルト画面の様に操作の起点となる操作画面が存在する。デフォルト画面を「操作の起点」として機能させるために、通常は、デフォルト画面から他の操作画面に遷移した後、一定時間以上の無操作状態が続いた場合に、デフォルト画面に自動的に戻るといった制御が行われる。
【先行技術文献】
【特許文献】
【０００４】
【特許文献１】特開２０１４−８９４９３号公報
【発明の概要】
【発明が解決しようとする課題】
【０００５】
従来は、無操作状態の継続に基づいてデフォルト画面へ自動遷移する機能は、次のユーザによる操作の開始に備えるためや、省エネルギー（たとえば、無操作状態の電子機器に係る部分への電源供給を停止する等）のために利用されていた。
【０００６】
画面遷移後に無操作状態が継続するケースには、たとえば、デフォルト画面から別の機能や電子機器の操作画面に誤操作によって遷移してしまったユーザが元の画面に戻るための操作方法を探し、迷っているために無操作状態が継続している場合もあれば、ユーザが別の機能や電子機器を使用する意図をもって画面遷移させたが、使い方が分からず迷っているために遷移後の画面で無操作状態が継続している場合もある。前者であれば、短時間の無操作状態の継続で元の画面に自動遷移することが望ましい。後者であれば、短時間の無操作状態の継続で元の画面に自動遷移することはユーザの利便性を阻害する。
【０００７】
しかしながら、従来は、上記のいずれの場合であっても、無操作状態が一定時間継続した時点でデフォルト画面へ自動遷移するので、該自動遷移の機能を利用して、現在使用中のユーザの操作をそのユーザの状況に応じて手助けして利便性を高めるといったことはできなかった。
【０００８】
なお、ユーザをシステム管理者等が所望する操作フローへ導きたいといった要請もある。しかし、従来は、デフォルト画面に自動遷移するために必要な無操作状態の継続時間が一律だったので、該自動遷移の機能を利用して上記の要請に対応することはできなかった。
【０００９】
本発明は、上記の問題を解決しようとするものであり、無操作状態の継続に基づいて画面を自動遷移させる機能を活用して、現在利用中のユーザの利便性を高めたり、ユーザをシステム管理者が所望する操作フローへ導いたりすることのできる画面遷移制御方法、画面遷移制御装置およびプログラムを提供することを目的としている。
【課題を解決するための手段】
【００１０】
かかる目的を達成するための本発明の要旨とするところは、次の各項の発明に存する。
【００１１】
［１］第１電子機器を使用するための第１操作画面の表示と第２電子機器を使用するための第２操作画面の表示に共用される操作パネルにおける画面遷移を制御する画面遷移制御方法であって、
前記操作パネルの状態を、ユーザからの操作に基づいて、前記第１操作画面を表示する第１状態から前記第２操作画面を表示する第２状態に遷移させる遷移ステップと、
前記操作パネルの状態が前記第１状態から前記第２状態に遷移してから次の操作を受けるまでは前記遷移した後の経過時間を、前記遷移した後に操作を受けた場合は最後の操作を受けてからの経過時間を、無操作継続時間として計測する計測ステップと、
前記無操作継続時間が閾値を超えた場合に、前記操作パネルの状態を、前記第２状態から前記第１状態に自動遷移させる自動遷移ステップと、
一のユーザによる利用が開始されてからのそのユーザによる前記第１電子機器および前記第２電子機器の使用実績に基づいて前記閾値を変更する閾値変更ステップと、
を有する
ことを特徴とする画面遷移制御方法。
【００１２】
上記発明および下記［１５］に記載の発明では、第１電子機器を使用するための第１操作画面が表示された第１状態から第２電子機器を使用するための第２操作画面が表示された第２状態に遷移した後の無操作継続時間が閾値を超えた場合に、第２状態から第１状態に自動遷移すると共に、閾値の大きさを、第１電子機器と第２電子機器の使用実績に基づいて変更する。
【００１３】
［２］前記閾値変更ステップでは、前記第１電子機器が使用された場合は前記閾値を増加させる
ことを特徴とする［１］に記載の画面遷移制御方法。
【００１４】
上記発明および下記［１６］に記載の発明では、第１電子機器が使用されれば、第２状態から第１状態に遷移する必要性が下がるので、無操作状態の継続によって第２状態から第１状態への自動遷移が生じ難くなるように、閾値を増加させる。
【００１５】
［３］前記閾値変更ステップでは、前記第２電子機器が使用された場合は前記閾値を減少させる
ことを特徴とする［１］または［２］に記載の画面遷移制御方法。
【００１６】
上記発明および下記［１７］に記載の発明では、第２電子機器が使用されれば、第２状態に留まる必要性が下がるので、無操作状態の継続によって第２状態から第１状態への自動遷移が生じやすくなるように、閾値を減少させる。
【００１７】
［４］前記第１電子機器は、デフォルトで使用される電子機器である
ことを特徴とする［１］乃至［３］のいずれか１つに記載の画面遷移制御方法。
【００１８】
デフォルトで使用される電子機器とは、装置側がユーザに優先的に使用させたい電子機器であり、主たる電子機器とも言える。
【００１９】
［５］前記閾値変更ステップでは、デフォルトで使用される電子機器である前記第１電子機器を未使用のまま前記第２状態に遷移した場合は、前記第１電子機器を使用してから前記第２状態に遷移した場合に比べて、前記閾値を短く設定する
ことを特徴とする［１］に記載の画面遷移制御方法。
【００２０】
上記発明および下記［１９］に記載の発明では、デフォルトの電子機器が未使用のまま第１状態から第２状態に遷移した場合は、デフォルトの電子機器が使用済みで第１状態から第２状態に遷移した場合に比べて閾値を短く設定することで、デフォルトの電子機器の使用を促す。
【００２１】
［６］前記閾値変更ステップでは、デフォルトで使用される電子機器である前記第１電子機器を使用してから前記第２状態に遷移して前記第２電子機器を使用した場合は、前記第１電子機器を未使用のまま前記第２状態に遷移しかつ前記第２電子機器を未使用の場合に比べて、前記閾値を短く設定する
ことを特徴とする［１］に記載の画面遷移制御方法。
【００２２】
上記発明および下記［２０］に記載の発明では、デフォルトの電子機器も第２電子機器も使用済みの場合は、ユーザが既に立ち去っている可能性が高い。一方、デフォルトの電子機器も第２電子機器も未使用の場合はユーザが第２電子機器を使用したいが操作に迷っている可能性がある。そこで、後者に比べて前者の場合、閾値を短く設定する。これにより、デフォルト画面に早く戻るようにし、次のユーザの使用に備えることができる。
【００２３】
［７］前記閾値変更ステップでは、デフォルトで使用される電子機器である前記第１電子機器を未使用のまま前記第２状態に遷移して前記第２電子機器を使用した場合は、前記第１電子機器を使用してから前記第２状態に遷移して前記第２電子機器を使用した場合に比べて、前記閾値を短く設定する
ことを特徴とする［１］に記載の画面遷移制御方法。
【００２４】
上記発明および下記［２１］に記載の発明では、第２電子機器が使用済みの場合に第２状態に留まる必要性は無いので閾値を短くする。このとき、第１電子機器が未使用と使用済みの場合を比べれば、未使用の場合の方が第１状態に戻る必要性は高いと考えられるので、第２電子機器が使用済みであれば、第１電子機器が使用済みの場合よりも未使用の場合に閾値を短くする。
【００２５】
［８］前記自動遷移ステップでは、前記無操作継続時間が閾値を超える前にユーザの切り替わりが識別されたら直ちに前記自動遷移を行う
ことを特徴とする［１］乃至［６］のいずれか１つに記載の画面遷移制御方法。
【００２６】
上記発明では、ユーザが変われば、次のユーザの使用開始に早期に備えるべく、無操作状態の継続時間に係らず、直ちに、デフォルト画面に自動遷移させる。
【００２７】
［９］前記第１状態で無操作状態が一定以上継続した場合に第３状態に遷移する第２自動遷移ステップと、
前記第１電子機器が使用済みの場合の前記自動遷移として、前記第２状態から前記第１状態に遷移する通常遷移と、前記第２状態から前記第１状態を経由せずに前記第３状態へ遷移する直接遷移のいずれを行うかの設定を受けるステップと
をさらに有し、
前記自動遷移ステップでは、前記第１電子機器が使用済みの場合は前記自動遷移を前記設定に従って行う
ことを特徴とする［１］乃至［８］のいずれか１つに記載の画面遷移制御方法。
【００２８】
上記発明では、第１状態で無操作状態が一定以上継続した場合に第３状態に自動遷移する構成において、第１電子機器が使用済みであれば、無操作状態の継続によって第２状態から第１状態に自動遷移させても、第１状態でそのままさらに無操作状態が一定時間以上継続する可能性が高いので、結局、第１状態から第３状態に自動遷移することになる。そうであれば、無操作状態の継続によって第２状態から、直接、第３状態に遷移させることで、第１状態を経由させる場合に比べて、第１状態での無駄な待機時間をなくすことができる。
【００２９】
［１０］前記閾値の初期値の設定を受けるステップをさらに有する
ことを特徴とする［１］乃至［９］のいずれか１つに記載の画面遷移制御方法。
【００３０】
［１１］前記閾値変更ステップでの前記閾値の変更の程度の設定を受けるステップをさらに有する
ことを特徴とする［１］乃至［１０］のいずれか１つに記載の画面遷移制御方法。
【００３１】
［１２］予め前記第１電子機器と前記第２電子機器の使用の順序が設定されている場合、
前記閾値変更ステップでは、ユーザの操作に基づく前記第２状態への遷移が前記使用の順序に合わない場合は、前記使用の順序に合う場合に比べて、前記閾値を短く設定する
ことを特徴とする［１］に記載の画面遷移制御方法。
【００３２】
上記発明では、無操作状態の継続に基づく自動遷移を利用して、設定された使用順序に合うようにユーザを誘導する。
【００３３】
［１３］前記使用の順序の設定を受けるステップをさらに有する
ことを特徴とする［１２］に記載の画面遷移制御方法。
【００３４】
［１４］［１］乃至［１３］のいずれか１つに記載の画面遷移制御方法の各ステップをコンピュータに実行させるプログラム。
【００３５】
［１６］第１電子機器を使用するための第１操作画面の表示と第２電子機器を使用するための第２操作画面の表示に共用される操作パネルにおける画面遷移を制御する画面遷移制御装置であって、
前記操作パネルの状態を、ユーザからの操作に基づいて、前記第１操作画面を表示する第１状態と前記第２操作画面を表示する第２状態とに切り替える切り替え部と、
前記操作パネルの状態が前記第１状態から前記第２状態に遷移してから次の操作を受けるまでは前記遷移した後の経過時間を、前記遷移した後に操作を受けた場合は最後の操作を受けてからの経過時間を無操作継続時間として計測する計測部と、
前記計測部が計測する前記無操作継続時間が閾値を超えた場合に、前記操作パネルの状態を、前記第２状態から前記第１状態に自動遷移させる自動遷移制御部と、
一のユーザによる利用が開始されてからのそのユーザによる前記第１電子機器および前記第２電子機器の使用実績に基づいて前記閾値を変更する閾値変更部と、
を有する
ことを特徴とする画面遷移制御装置。
【００３６】
［１６］前記閾値変更部は、前記第１電子機器が使用された場合は前記閾値を増加させる
ことを特徴とする［１５］に記載の画面遷移制御装置。
【００３７】
［１７］前記閾値変更部は、前記第２電子機器が使用された場合は前記閾値を減少させる
ことを特徴とする［１５］または［１６］に記載の画面遷移制御装置。
【００３８】
［１８］前記第１電子機器は、デフォルトで使用される電子機器である
ことを特徴とする［１５］乃至［１７］のいずれか１つに記載の画面遷移制御装置。
【００３９】
［１９］前記閾値変更部は、デフォルトで使用される電子機器である前記第１電子機器を未使用のまま前記第２状態に遷移した場合は、前記第１電子機器を使用してから前記第２状態に遷移した場合に比べて、前記閾値を短く設定する
ことを特徴とする［１５］に記載の画面遷移制御装置。
【００４０】
［２０］前記閾値変更部は、デフォルトで使用される電子機器である前記第１電子機器を使用してから前記第２状態に遷移して前記第２電子機器を使用した場合は、前記第１電子機器を未使用のまま前記第２状態に遷移しかつ前記第２電子機器を未使用の場合に比べて、前記閾値を短く設定する
ことを特徴とする［１５］に記載の画面遷移制御装置。
【００４１】
［２１］前記閾値変更部は、デフォルトで使用される電子機器である前記第１電子機器を未使用のまま前記第２状態に遷移して前記第２電子機器を使用した場合は、前記第１電子機器を使用してから前記第２状態に遷移して前記第２電子機器を使用した場合に比べて、前記閾値を短く設定する
ことを特徴とする［１５］に記載の画面遷移制御装置。
【発明の効果】
【００４２】
本発明に係る画面遷移制御方法、画面遷移制御装置およびプログラムによれば、無操作状態の継続に基づいて画面を自動遷移させる機能を活用して、現在利用中のユーザの利便性を高めたり、ユーザをシステム管理者が所望する操作フローへ導いたりすることができる。
【図面の簡単な説明】
【００４３】
【図１】本発明の実施の形態に係る画面遷移制御装置を含む電子機器システムの構成を示す図である。
【図２】画像形成装置と自動販売機に共用される操作パネルに表示される操作画面の遷移を示す図である。
【図３】電子機器システムのうちの自動販売機の概略構成を示すブロック図である。
【図４】電子機器システムのうちの画像形成装置の概略構成を示すブロック図である。
【図５】第１電子機器（自動販売機）の機能）、第２電子機器（画像形成装置）の機能の使用実績と、無操作継続時間と比較される閾値の大きさとの関係を示すシーケンス図である。
【図６】無操作継続時間と比較される閾値を変更する処理を示す流れ図である。
【図７】閾値テーブルの一例を示す図である。
【図８】第１状態で無操作状態が一定時間以上継続した場合に省エネ状態に遷移するシーケンス図である。
【図９】第１電子機器の機能を使用せずに第１状態から第２状態に遷移し、無操作継続時間が閾値を超えた場合を示すシーケンス図である。
【図１０】第１電子機器の機能を使用した後に第１状態から第２状態に遷移し、無操作継続時間が閾値を超えた場合を示すシーケンス図である。
【図１１】設定された使用順序に合うようにユーザを誘導する場合のシーケンス図であって、第１電子機器の機能を使用せずに第２状態または第３状態へ切り替えられた場合を示す図である。
【図１２】設定された使用順序に合うようにユーザを誘導する場合のシーケンス図であって、第１電子機器の機能が使用されて第２状態に切り替えられた後、第２電子機器の機能の実行を指示する操作を受けていない場合を示す図である。
【図１３】設定された使用順序に合うようにユーザを誘導する場合のシーケンス図であって、第１電子機器の機能が使用されて第２状態に切り替えられた後、第２電子機器の機能の実行を指示する操作を受けた場合を示す図である。
【図１４】設定された使用順序に合うようにユーザを誘導する場合のシーケンス図であって、第１電子機器の機能が使用されて第３状態に切り替えられた場合を示す図である。
【図１５】設定された使用順序に合うようにユーザを誘導する場合のシーケンス図であって、第１電子機器の機能、第２電子機器の機能が実行された後に第３状態に切り替えられた場合を示す図である。
【図１６】設定された使用順序に従ってユーザを誘導するように閾値を切り替える処理を示す流れ図である。
【発明を実施するための形態】
【００４４】
以下、図面に基づき本発明の実施の形態を説明する。
【００４５】
図１は、本発明の実施の形態に係る画面遷移制御装置を含む電子機器システム５の構成を示している。電子機器システム５は、複数の異なる電子機器を備えた電子機器群である。ここでは、電子機器システム５は画像形成装置１０および自動販売機３０を有する。画像形成装置１０は自動販売機３０の筐体内に組み込まれている。自動販売機３０を第１電子機器、画像形成装置１０を第２電子機器とする。
【００４６】
ユーザから各種の操作を受け付けたり、各種の操作画面、案内画面などを表示したりする操作パネル３１は、自動販売機３０の筐体外面に設けてあり、画像形成装置１０と自動販売機３０で共用される。同様に、ユーザを識別（認証）するための認証部３２も自動販売機３０の筐体外面に設けてあり、画像形成装置１０と自動販売機３０で共用される。認証部３２は、たとえば、ＮＦＣ（Near Field Communication）等の近距離無線通信を用いたカードリーダ等であり、ユーザが所持するＩＤカードからユーザ情報を読み出して、ユーザを識別する。
【００４７】
図２は、画像形成装置１０と自動販売機３０に共用される操作パネル３１に表示される操作画面の遷移を示している。電子機器システム５のデフォルトの電子機器は自動販売機３０（第１電子機器）であり、待機状態では、自動販売機３０を使用するための第１操作画面５１が操作パネル３１に表示されている（Ｐ１）。ユーザは、自動販売機３０の商品を選択して購入する操作やおつりの払い戻しを要求する操作などを第１操作画面５１から行う。
【００４８】
電子機器システム５は、デフォルトの第１操作画面５１が操作パネル３１に表示されている状態（第１状態とする）で、右フリックなど所定の画面切り替え操作をユーザから受けると（Ｐ２）、操作パネル３１の表示を、画像形成装置１０（第２電子機器）を使用するための第２操作画面５２に切り替える。ユーザは、画像形成装置１０に対してジョブを投入したり、各種の設定を行ったりする操作を第２操作画面５２から行うことができる。
【００４９】
電子機器システム５は、第２操作画面５２が表示された状態（第２状態とする）で、左フリックなど所定の画面切り替え操作をユーザから受けると（Ｐ３）、操作パネル３１の表示を、第１操作画面５１に切り替える。
【００５０】
また、第２操作画面５２が表示された第２状態では、ユーザから継続して操作を受けていない時間（無操作継続時間）を計測し、無操作継続時間が所定の閾値を超えたとき、自動的にデフォルト画面（第１操作画面５１）に操作パネル３１の表示を切り替える。より詳細には、操作パネル３１の状態が第１操作画面５１が表示された第１状態から第２操作画面５２が表示された第２状態に遷移してから次の操作を受けるまでは、第２状態に遷移した時点からの経過時間を無操作継続時間として計測し、第２状態に遷移した後に何らかの操作を受けた場合は最後の操作を受けてからの経過時間を無操作継続時間として計測する。
【００５１】
また、電子機器システム５は、一のユーザによる電子機器システム５の利用が開始されてからのそのユーザによる自動販売機３０（（第１電子機器（デフォルトの電子機器））および画像形成装置１０（第２電子機器）の使用実績に基づいて、上記の閾値を変更する機能を備えている。閾値を大きくすれば、無操作状態の継続によって第２操作画面５２から第１操作画面５１に自動遷移し難くなり、閾値を小さくすれば、無操作状態の継続によって第２操作画面５２から第１操作画面５１に自動遷移し易くなる。
【００５２】
本実施の形態に係る電子機器システム５では、使用中のユーザによる自動販売機３０および画像形成装置１０の使用実績に基づいて上記の閾値を増減することで無操作状態の継続に基づく自動遷移の生じやすさを変更し、これにより、現在使用中のユーザの操作をそのユーザの状況に応じて手助けして利便性を高めたり、ユーザをシステム管理者が所望する操作フローへ導いたりする。閾値の変更の詳細については後述する。
【００５３】
図３は、電子機器システム５のうちの自動販売機３０の概略構成を示すブロック図である。自動販売機３０は、前述した操作パネル３１、認証部３２のほか、制御部３３、貯蔵部３４、加熱冷却部３５、記憶部３６、通信部３７等を備えて構成される。これらは互いにバス３８を通じて各種の信号をやり取り可能に接続されている。
【００５４】
制御部３３は、ＣＰＵ（Central Processing Unit）を主要部として構成されている。制御部３３は、記憶部３６に格納されているプログラムに基づいて動作し、これにより、自動販売機３０の各部が制御され、自動販売機３０としての機能が実現される。
【００５５】
記憶部３６は、ＲＯＭ（Read Only Memory）、ＲＡＭ（Random Access Memory）、ハードディスク装置などで構成される。ＲＯＭには、制御部３３によって実行される各種のプログラムが格納されている。ＲＡＭは、制御部３３がプログラムを実行する際に各種のデータを一時的に記憶するワークエリア等に利用される。ハードディスク装置は、大容量不揮発の記憶装置であり、各種のデータが記憶される。
【００５６】
通信部３７は、有線あるいは無線通信によって外部のネットワークに接続してサーバや各種の外部装置と通信する機能のほか、筐体内の画像形成装置１０と通信する機能を果たす。なお、電子機器システム５では、自動販売機３０が主たる装置、画像形成装置１０が従たる装置になっており、自動販売機３０および画像形成装置１０で共用される操作パネル３１の制御は自動販売機３０の制御部３３が行っている。
【００５７】
制御部３３は、操作パネル３１を画像形成装置１０の操作パネルとして機能させる場合には、操作パネル３１がユーザから受けた操作の内容を画像形成装置１０に送信したり、画像形成装置１０から送られてくる各種の情報を受信しこれに基づいて操作パネル３１の表示内容を変更したりするようになっている。第１操作画面５１と第２操作画面５２との画面の遷移も自動販売機３０の制御部３３が制御している。
【００５８】
操作パネル３１は、液晶ディスプレイなどの表示部と、該表示部の表示面に設けられたタッチパネルや機械スイッチなどで構成された操作部を有している。タッチパネルは、表示部の表示面がタッチペンや指などで接触操作された座標位置を検出して、タッチ操作、フリック操作などを検出する。
【００５９】
認証部３２は前述したように、ＮＦＣのリーダなどで構成される。認証部３２は静脈認証など任意の方式でユーザ認証するものでもよい。
【００６０】
貯蔵部３４は、自動販売機３０が販売する商品を蓄えたり、制御部３３からの指示に基づいて商品を取り出し口に排出したりする機能を果たす。
【００６１】
加熱冷却部３５は、貯蔵部３４に対して熱接触状態にあり、貯蔵部３４に蓄えられている商品を加熱または冷却する。
【００６２】
画面遷移に関して制御部３３は、切り替え部４１、計測部４２、自動遷移制御部４３、閾値変更部４４等の機能を果たす。切り替え部４１は、操作パネル３１を、ユーザからの操作に基づいて第１操作画面５１を表示する第１状態と第２操作画面５２を表示する第２状態とに切り替える。計測部４２は、無操作継続時間を計測する。自動遷移制御部４３は、第２状態で無操作継続時間が閾値を超えた場合に、操作パネル３１の状態を第２状態から第１状態に自動遷移させる機能を果たす。閾値変更部４４は、一のユーザによる利用が開始されてからのそのユーザによる第１機能および第２機能の使用実績に基づいて閾値を変更する機能を果たす。
【００６３】
図４は、画像形成装置１０の概略構成を示すブロック図である。画像形成装置１０は、ＣＰＵを主要部とする制御部１１、画像読取部１２、画像形成部１３、記憶部１４、通信部１５などを備えている。これらはバス１６を通じて互いに通信可能に接続されている。
【００６４】
画像形成装置１０は、原稿を光学的に読み取ってその複製画像を記録紙に印刷するコピージョブ、読み取った原稿の画像データをファイルにして保存したり外部端末へネットワークを通じて送信したりするスキャンジョブ、可搬型記憶媒体から読み出したりネットワークを通じて受信したりした印刷データに係る画像を記録紙上に形成して印刷出力するプリントジョブなどを実行する機能を備えた、所謂、複合機である。
【００６５】
制御部１１は、ＯＳ（Operating System）プログラムをベースとし、その上で、ミドルウェアやアプリケーションプログラムなどを実行する。
【００６６】
記憶部１４は、ＲＯＭ、ＲＡＭ、ハードディスク装置などで構成される。記憶部１４は、各種のプログラムを格納しており、制御部１１がこれらのプログラムに従って各種処理を実行することで、画像形成装置１０としての各機能が実現される。記憶部１４は、制御部１１がプログラムに基づいて処理を実行する際に各種のデータを一時的に格納するワークメモリや画像データを格納する画像メモリなどとして使用される。
【００６７】
画像読取部１２は、原稿を光学的に読み取って画像データを取得する機能を果たす。画像読取部１２は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００６８】
画像形成部１３は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成部１３はインクジェット方式など他の方式でもかまわない。
【００６９】
通信部１５は、有線あるいは無線通信によって外部のネットワークに接続してサーバや各種の外部装置と通信する機能のほか、自動販売機３０と通信する機能を果たす。
【００７０】
次に、無操作継続時間と比較される閾値の変更について説明する。
【００７１】
図５は、第１電子機器（自動販売機３０）および第２電子機器（画像形成装置１０）の使用実績と、無操作継続時間と比較される閾値の大きさとの関係を示す図である。図５では、グレーで塗り潰された部分は、無操作状態が継続している期間（無操作継続時間）を示している。図５には、第１ケースから第４ケースを例示してある。
【００７２】
＜第１ケース＞
同図（ａ）に示す第１ケースは、第１電子機器（自動販売機３０）の操作画面である第１操作画面５１が表示された第１状態で、第１電子機器の機能（図中は機能１とする）の実行を指示する操作を受けた後、第２電子機器（画像形成装置１０）の操作画面である第２操作画面５２が表示された第２状態に切り替えられ、その後、第２電子機器の機能（図中は機能２とする）の実行を指示する操作を受けていない場合である。
【００７３】
閾値はＴａに設定され、無操作継続時間がＴａを超えたとき、第２状態から第１状態に自動遷移する。第１ケースでは、第１電子機器の機能の実行を指示する操作を受けてから、第２状態に切り替えられているので、第１状態に戻す必要性は低い。また、第２電子機器の機能の実行を指示する操作をまだ受けていない。すなわち、ユーザは第２電子機器の機能を使用したいが、その操作方法が分からずに迷っているために無操作状態が継続している可能性がある。そこで、第１ケースでは、第２電子機器の機能を使用するための操作を待つために、閾値Ｔａを最も長く設定する。
【００７４】
＜第２ケース＞
同図（ｂ）に示す第２ケースは、第１電子機器（自動販売機３０）の機能の実行を指示する操作を受けずに第２状態に切り替えられ、その後、第２電子機器（画像形成装置１０）の機能の実行を指示する操作も受けていない場合である。
【００７５】
閾値はＴａより短いＴｂに設定され、無操作継続時間がＴｂを超えたとき、第２状態から第１状態に自動遷移する。第２ケースでは、デフォルトの電子機器である第１電子機器の機能の実行を指示する操作を受けずに第２状態に切り替えられているので、デフォルトの電子機器に係る操作を受け付ける第１状態に戻す要請がある。この要請に沿うためには閾値は短い方がよい。一方、第２電子機器の機能の実行を指示する操作をまだ受けていないので、ユーザは第２電子機器の機能を使用したいが、その操作方法が分からず迷っているために無操作状態が継続している可能性がある。この要請に沿うためには閾値は長い方がよい。そこで、第２ケースでは上記相反する２つの要請に鑑みて、閾値Ｔｂを４つのケースの中で２番目に長くなるように設定する。
【００７６】
＜第３ケース＞
同図（ｃ）に示す第３ケースは、第１電子機器（自動販売機３０）の操作画面である第１操作画面５１が表示された第１状態で、第１電子機器の機能の実行を指示する操作を受けた後、第２電子機器（画像形成装置１０）の操作画面である第２操作画面５２が表示された第２状態に切り替えられ、その後、第２電子機器の機能の実行を指示する操作を受けた場合である。
【００７７】
閾値はＴｂよりさらに短いＴｃに設定され、無操作継続時間がＴｃを超えたとき、第２状態から第１状態に自動遷移する。第３ケースでは、第１電子機器の機能の実行を指示する操作を受けてから、第２状態に切り替えられているので、第１状態に戻す必要性は低い。しかし、第２電子機器の機能の実行を指示する操作も既に受けているので、第２状態に留まる理由もない。このケースは、ユーザが必要な機能をすべて使い終わって電子機器システム５の前から既に立ち去って放置されている可能性が高い。そこで、第３ケースでは閾値ＴｃをＴａ、Ｔｂより短くし、４つのケースの中で３番目の長さに設定する。
【００７８】
＜第４ケース＞
同図（ｄ）に示す第４ケースは、第１電子機器（自動販売機３０）の機能の実行を指示する操作を受けずに第２状態に切り替えられ、その後、第２電子機器（画像形成装置１０）の機能の実行を指示する操作を受けた場合である。
【００７９】
閾値は最も短いＴｄに設定され、無操作継続時間がＴｄを超えたとき、第２状態から第１状態に自動遷移する。第４ケースでは、第１電子機器の機能の実行を指示する操作を受けずに第２状態に切り替えられているので、デフォルトの第１電子機器に対応した第１状態に戻す要請がある。一方、第２電子機器の機能の実行を指示する操作を既に受けているので第２状態に留まる理由はない。そこで、第４ケースでは、第２状態から第１状態へ積極的に早期に戻すべく、閾値Ｔｄを４つのケースの中で最も短く設定する。
【００８０】
上記４つのケースによる閾値の設定変更は、以下の２つの原則に基づく。
（１）第１電子機器の機能が使用された場合は、閾値を増加させる。すなわち、第１電子機器の機能が使用されて第１状態から第２状態に遷移した場合は、第１電子機器の機能が使用されずに第１状態から第２状態に遷移した場合に比べて、閾値を大きくする。
（２）第２電子機器の機能が使用された場合は、閾値を減少させる。すなわち、第２電子機器の機能が使用済みならば第２電子機器の機能が未使用の場合に比べて、閾値を小さくする。
【００８１】
上記（１）の原則は、第１電子機器の機能が使用済みであれば、未使用の場合に比べて無操作状態の継続によって第２状態から第１状態に自動遷移させる必要性が低いこと、およびデフォルトの電子機器である第１電子機器の機能が未使用の場合にはその使用をユーザに促すために、使用済みの場合に比べて、無操作状態の継続によって第２状態から第１状態に早期に自動遷移させたいという要請に基づく。
【００８２】
上記（２）の原則は、第２電子機器の機能が使用済みであれば、未使用の場合に比べて第２状態に留まる必要性は低いことに基づく。
【００８３】
図６は、上記２つの原則に従って閾値を変更する処理の流れを示している。当初は第１電子機器（自動販売機３０）の機能）を使用するための第１操作画面５１が表示された第１状態にあるものとする。第２電子機器（画像形成装置１０）の機能を使用するための第２操作画面５２が表示された第２状態への切り替え操作をユーザから受けたか否かを調べ（ステップＳ１０１）、該切り替え操作を受けていなければ（ステップＳ１０１；Ｎｏ）、第１電子機器の機能の実行を指示する操作（自動販売機３０を使用する操作）をユーザから受けたか否かを判定する（ステップＳ１０２）。
【００８４】
第１電子機器の機能の実行を指示する操作を受けていなければ（ステップＳ１０２；Ｎｏ）、ステップＳ１０１に戻る。第１電子機器の機能の実行を指示する操作を受けた場合は（ステップＳ１０２；Ｙｅｓ）、閾値を増加するように変更して（ステップＳ１０３）、ステップＳ１０１に戻る。
【００８５】
ユーザから第２状態への切り替え操作を受けた場合は（ステップＳ１０１；Ｙｅｓ）、第２状態に遷移する。そして、無操作継続時間の計測を開始し、無操作継続時間が閾値を超えたか否かを判定する（ステップＳ１０４）。閾値は、ステップＳ１０３を経ている場合、すなわち、第１電子機器の機能の実行操作を既に受けている場合は、初期値より増加されている。
【００８６】
無操作継続時間が閾値を超えたならば（ステップＳ１０４；Ｙｅｓ）、第１状態に自動遷移してステップＳ１０１に戻る。無操作継続時間が閾値を超えていなければ（ステップＳ１０４；Ｎｏ）、ユーザから第１状態への切り替え操作を受けたか否かを調べ（ステップＳ１０５）、切り替え操作を受けたならば（ステップＳ１０５；Ｙｅｓ）、第１状態に遷移してステップＳ１０１に戻る。
【００８７】
ユーザから第１状態への切り替え操作を受けていなければ（ステップＳ１０５；Ｎｏ）、第２電子機器の機能の実行を指示する操作（画像形成装置１０を使用する操作）をユーザから受けたか否かを判定する（ステップＳ１０６）。
【００８８】
第２電子機器の機能の実行を指示する操作を受けていなければ（ステップＳ１０６；Ｎｏ）、ステップＳ１０４に戻る。第２電子機器の機能の実行を指示する操作を受けた場合は（ステップＳ１０６；Ｙｅｓ）、閾値を減少するように変更して（ステップＳ１０７）、ステップＳ１０４に戻る。これにより、以後のステップＳ１０４では、第２機能の実行指示を受ける前に比べて小さい閾値と無操作継続時間が比較される。
【００８９】
図５に示すように、４つのケースについて閾値の長さに序列を定義する場合には、たとえば、次のようにして閾値を変更すればよい。
【００９０】
図７に示すように、第１電子機器の機能、第２電子機器の機能の使用済み／未使用に関する４つのケースのそれぞれに対応する閾値を予め登録した閾値テーブル６０を作成しておく。そして、図６のステップＳ１０４で、現時点での第１電子機器（自動販売機３０）の機能、第２電子機器（画像形成装置１０）の機能の使用実績（使用済みか未使用か）に対応する閾値を閾値テーブル６０から取得し、その取得した閾値と無操作継続時間とを比較する。
【００９１】
なお、この場合、ステップＳ１０３では「第１電子機器の機能の使用あり」を登録し、ステップＳ１０７では「第２電子機器の機能の使用あり」を登録するだけでよい。ステップＳ１０４ではこの登録に基づいて第１電子機器の機能、第２電子機器の機能の使用実績を認識して閾値テーブル６０を参照すればよい。
【００９２】
無操作継続時間が閾値を超える前に電子機器システム５を使用するユーザが切り替わった場合には、無操作継続時間に係わらず、直ちに、デフォルト画面へ自動遷移させる。また、一のユーザによる使用が終了したときや、別のユーザに切り替わったときに、閾値は初期値にリセットされる。
【００９３】
なお、閾値の初期値は、管理者等によって設定変更することが可能になっている。
【００９４】
また、閾値の変更の程度についても、管理者等によって設定変更することができる。たとえば、図６のステップＳ１０３やＳ１０７でどの程度、閾値を増減するか、図７の閾値テーブル６０に登録するＴａ〜Ｔｄの各値をどのような値にするかを、設定変更することができる。
【００９５】
次に、第１電子機器（自動販売機３０）の機能を使用するための第１操作画面５１が表示された第１状態で無操作状態が一定以上継続した場合に、所定の第３状態に遷移する場合について説明する。
【００９６】
第３状態は、たとえば、操作パネル３１の表示等がオフにされる省エネルギー状態（省エネ状態とも記す）や、ホーム画面が表示された状態などである。ここでは、第３状態を省エネ状態とする。
【００９７】
図８は、第１電子機器の機能を使用するための第１操作画面５１が表示された第１状態で無操作状態が一定時間Ｔｇ以上継続した場合のシーケンス図である。この場合、無操作継続時間がＴｇを超えた時点で省エネ状態に自動遷移する。
【００９８】
図９は、第１電子機器の機能を使用せずに第１状態から第２状態に遷移し、無操作継続時間が閾値Ｔｂを超えた場合のシーケンス図である。この場合、第２状態から第１状態に自動遷移する。
【００９９】
図１０は、第１電子機器の機能を使用した後に第１状態から第２状態に遷移し、無操作継続時間が閾値Ｔａを超えた場合のシーケンス図である。この場合、第２状態から第１状態に自動遷移するのではなく、第２状態から直接、省エネ状態に遷移する。すなわち、第１電子機器の機能が既に使用済みであれば、第１電子機器の機能を使用するための第１操作画面５１が表示される第１状態に遷移する必要はないので、直接、省エネ状態に遷移する。
【０１００】
第１状態で無操作状態が一定以上継続した場合に省エネ状態に自動遷移する構成では、第１電子機器の機能が使用済みの場合に無操作継続時間が閾値を超えたことによって第２状態から第１状態に自動遷移させても、第１状態でそのままさらに無操作状態が一定時間以上継続する可能性が高く、第１状態から第３状態にさらに自動遷移することになる。そうであれば、第１電子機器の機能が使用済みの場合は、無操作状態の継続によって第２状態から、直接、第３状態に遷移させることで、第１状態を経由させる場合に比べて、第１状態での無駄な待機時間をなくして、早期に省エネ状態に移行させることができる。
【０１０１】
次に、予め複数の電子機器の使用順序が管理者等によって設定されている場合に、無操作状態の継続に基づく自動遷移の機能を利用して、その設定されている使用順序に沿って電子機器システム５が使用されるようにユーザを誘導する場合について説明する。なお、使用の順序は管理者等によって設定変更することが可能になっている。
【０１０２】
たとえば、ユーザの操作に基づく第１状態から第２状態への遷移が、設定された使用の順序に合わない場合は、設定された使用の順序に合う場合に比べて、無操作継続時間と比較される閾値を短く設定する。具体的には、第１電子機器（自動販売機３０）、第２電子機器（画像形成装置１０）の順に電子機器の使用順序が設定されている場合に、第１電子機器の機能を使用せずに第２状態に遷移したならば、第２電子機器が第１電子機器より先に使用される可能性があるので、第１電子機器の機能を使用してから第２状態に遷移した場合に比べて、閾値を短くする。これは、図５の第１ケースと第２ケースに相当する。第２ケースは、第２電子機器よりも第１電子機器を先に使用するようにユーザを誘導していることになる。
【０１０３】
上記の誘導の他の例を、図１１〜図１５に示す。この例では、第１状態、第２状態のほかに、第３電子機器を使用するための操作画面が表示される第３状態をさらに有するものとする。また、第２状態、第３状態には、第１状態からのみ遷移可能とし、たとえば、第２状態から第３状態に直接遷移することはできないものとする。設定されている使用順序は、第１電子機器、第２電子機器、第３電子機器の順とする。無操作継続時間と比較される閾値はＴrとＴｆの大小２種類であり、Ｔｆ＜Ｔｒの関係にあるものとする。
【０１０４】
図１１は、第１電子機器の機能を使用する前に第２状態、あるいは第３状態にユーザが操作画面を切り替えた場合を示している。この場合、設定された使用順序に合わないので、無操作継続時間と比較される閾値は小（Ｔｆ）に設定変更される。これにより、第１状態に戻るようにユーザを促す。
【０１０５】
図１２は、第１電子機器の機能が使用されて第２状態に切り替えられた後、第２電子機器の機能の実行を指示する操作を受けていない場合である。この場合、設定された使用順序に合った操作が行われているので、閾値は大（Ｔｒ）に設定変更される。これにより、無操作の継続によって第１状態に自動遷移し難くなって、第２電子機器の機能の使用をユーザに促す。
【０１０６】
図１３は、第１電子機器の機能が使用されて第２状態に切り替えられた後、第２電子機器の機能の実行を指示する操作を受けた場合を示している。この場合、閾値は小（Ｔｆ）に設定変更される。これにより、無操作状態の継続によって第１状態に戻り易くし、持って、第１状態から第３状態への切り替えを促す。
【０１０７】
図１４は、第１電子機器の機能が使用されて第３状態に切り替えられた場合を示している。この場合、設定されている使用順序に操作フローが合っていないので、閾値は小（Ｔｆ）に設定変更される。これにより、無操作の継続によって第１状態に自動遷移し易くなる。
【０１０８】
図１５は、第１電子機器の機能、第２電子機器の機能の順に使用された後、第３状態に切り替えられた場合を示している。この場合、設定された使用順序にユーザの操作が合っているので、閾値は大（Ｔｒ）に設定される。これにより、無操作状態の継続によって第１状態に自動遷移し難くなるので、第３状態に留まって第３機能を使用することをユーザに促すことになる。
【０１０９】
図１６は、設定された使用順序に従ってユーザの操作を誘導するように閾値を切り替える処理の流れを示している。当初はデフォルト画面が表示されているものとする。操作画面の切り替え操作をユーザから受けたら（ステップＳ２０１；Ｙｅｓ）、該操作に従って操作画面を切り替える（ステップＳ２０２）。そして、この切り替えが、予め設定されている電子機器の使用順序に合っているか否かを判定する（ステップＳ２０３）。
【０１１０】
設定されている使用順序に合っている場合は（ステップＳ２０３；Ｙｅｓ）、閾値を大（Ｔｒ）に設定して（ステップＳ２０４）、ステップＳ２０６へ移行する。設定されている使用順序に合っていない場合は（ステップＳ２０３；Ｎｏ）、閾値を小（Ｔｆ）に設定して（ステップＳ２０５）、ステップＳ２０６へ移行する。
【０１１１】
ステップＳ２０６では、無操作継続時間が閾値を超えたか否かを調べ、超えている場合は（ステップＳ２０６；Ｙｅｓ）、デフォルト画面に自動遷移させて（ステップＳ２１０）、ステップＳ２０１に戻る。
【０１１２】
超えていなければ（ステップＳ２０６；Ｎｏ）、ユーザから遷移前の操作画面に戻る操作を受けたか否かを調べる（ステップＳ２０７）。戻る操作を受けた場合は（ステップＳ２０７；Ｙｅｓ）、デフォルト画面に遷移させた後（ステップＳ２１０）、ステップＳ２０１に戻る。
【０１１３】
戻る操作を受けなければ（ステップＳ２０７；Ｎｏ）、この操作画面で該操作画面に対応する電子機器の機能の実行操作を受けたか否かを調べる（ステップＳ２０８）。機能の実行操作を受けた場合は（ステップＳ２０８；Ｙｅｓ）、閾値を小（Ｔｆ）に設定変更して（ステップＳ２０９）、ステップＳ２０６に戻る。機能の実行操作を受けなければ（ステップＳ２０８；Ｎｏ）、ステップＳ２０６に戻って処理を継続する。
【０１１４】
このように、本発明では、無操作状態の継続に基づいて画面を自動遷移させる機能を活用して、現在利用中のユーザの利便性を高めたり、ユーザをシステム管理者が所望する操作フローへ導いたりすることができる。
【０１１５】
たとえば、デフォルトの電子機器の機能を使用するための操作画面から別の電子機器の機能を使用するための操作画面に誤操作によって遷移してしまったユーザが元の画面に戻るための操作方法を探し、迷っているために無操作状態が継続しているような場合には、閾値が短く変更されるので、短時間の無操作状態の継続で元の画面に戻るようになり、元の画面に戻る操作が分からずに困っているユーザを手助けすることができる。
【０１１６】
また、ユーザが別の電子機器を使用する意図をもって画面遷移させたが、使い方が分からず迷っているために遷移後の画面で無操作状態が継続しているような場合には、閾値が長く変更され、短時間の無操作状態の継続では元の画面に自動遷移しなくなるので、操作に迷っているうちに勝手に元の画面に自動遷移してユーザの利便性が阻害されるといったことが防止される。
【０１１７】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１１８】
第１電子機器、第２電子機器は、実施の形態で例示したものに限定されず、任意でよい。また、実施の形態では、第１電子機器をデフォルトの電子機器とし、第１電子機器を使用するための第１操作画面５１をデフォルトで表示される操作画面としたが、本発明は、第１操作画面５１が表示される第１状態から第２操作画面５２が表示される第２状態に遷移し、第２操作画面５２で無操作状態が閾値以上継続した場合に、第１状態に自動遷移する装置であればよく、第１電子機器や第１操作画面５１はデフォルトの電子機器、デフォルトの画面に限定されるものではない。また、電子機器は３以上であってもよい。
【０１１９】
電子機器システム５のうち、操作パネル３１に表示する画面を自動的に遷移させる機能を取り出し、これを画面遷移制御装置としたものも本発明に含まれる。
【符号の説明】
【０１２０】
５…電子機器システム
１０…画像形成装置
１１…制御部
１２…画像読取部
１３…画像形成部
１４…記憶部
１５…通信部
１６…バス
３０…自動販売機
３１…操作パネル
３２…認証部
３３…制御部
３４…貯蔵部
３５…加熱冷却部
３６…記憶部
３７…通信部
３８…バス
４１…切り替え部
４２…計測部
４３…自動遷移制御部
４４…閾値変更部
５１…第１操作画面
５２…第２操作画面
６０…閾値テーブル
【図２】
2017068405.tif 000003
【図３】
2017068405.tif 000004
【図４】
2017068405.tif 000005
【図５】
2017068405.tif 000006
【図６】
2017068405.tif 000007
【図７】
2017068405.tif 000008
【図８】
2017068405.tif 000009
【図９】
2017068405.tif 000010
【図１０】
2017068405.tif 000011
【図１１】
2017068405.tif 000012
【図１２】
2017068405.tif 000013
【図１３】
2017068405.tif 000014
【図１４】
2017068405.tif 000015
【図１５】
2017068405.tif 000016
【図１６】
2017068405.tif 000017
【図１】
2017068405.tif 000018